(57)【要約】【課題】作業性よくナットを着脱することができるようにしたナット回し工具を提供する。【解決手段】このナット回し工具は、ナットＮの外径よりも大きな内径の円筒状の内面１１を有する本体部１０と、本体部１０を横向きないし縦向きに保持し、かつ、操作棒１の先端に取り付けられるホルダ２０とを備えている。本体部１０の内面１１には、ナットの側面Ｎａが滑りにくいようにするための掛止部が設けられている。前記ホルダ２０の基端側には、ナットＮの捕捉部３０が備えられている。ホルダ２０の先端側には、ナットＮが脱落しないようにするための狭窄部が設けられている。そして、ナットの側面Ｎａを本体部１０の対面に押し当て、本体部１０を回転させることによって、ナットＮに回転力を付与する。【選択図】図１
2010005716.tif 000002
【特許請求の範囲】
【請求項１】
ナットの外径よりも大きな内径の円筒状の内面を有する本体部と、該本体部を横向きないし縦向きに保持し、かつ、操作棒の先端に取り付けられるホルダとが備えられていることを特徴とするナット回し工具。
【請求項２】
前記本体部の内面には、ナットの側面を滑りにくくするための掛止部が設けられていることを特徴とする請求項１に記載のナット回し工具。
【請求項３】
前記本体部の基端側には、ナットの捕捉部が設けられていることを特徴とする請求項１又は２に記載のナット回し工具。
【請求項４】
前記ホルダの先端側には、ナットが内面から離脱しないようにするための狭窄部が設けられていることを特徴とする請求項１ないし３のいずれか１項に記載のナット回し工具。
【請求項５】
前記ホルダには、前記本体部が所期の姿勢を維持するように仮固定するための締結部材が取り付けられていることを特徴とする請求項１ないし４のいずれか１項に記載のナット回し工具。
【請求項６】
前記ホルダには、前記操作棒から偏心した先端側で本体部を挟む一対の支持部と、該一対の支持部の基端側を連結する連結部とが備えられていることを特徴とする請求項１ないし５のいずれか１項に記載のナット回し工具。
【発明の詳細な説明】
【技術分野】
【０００１】
本発明は、例えば電柱の腕金などの高所に締結されたナットを着脱するのに好適なナット回し工具に関し、特に、ナットを強固に締め付けるまでの仮締めの段階や緩み始めた後のナットを効率的に着脱することができるようにしたナット回し工具に関する。
【背景技術】
【０００２】
電柱に固定された腕金などの高所に締結されたナットを作業性よく仮締めすることができるようにしたナット仮締め具が特許文献１に開示されている。このナット仮締め具は、図８に示すように、帯状に形成されたベースプレート１１１と、このベースプレート１１１の片面に被着された弾性体１１２とからなり、ベースプレート１１１の基部が間接活線操作棒１００の先端に角度調整手段１１３によって取り付けられている。そして、ベースプレート１１１及び弾性体１１２の先端は、弾性体１１２を内側にして彎曲状に形成されている。また、弾性体１１２の表面には、ナットＮの外周面に当接される波形状の押接面１１２ａが形成されている。
【０００３】
このナット仮締め具によれば、作業者が間接活線操作棒１００を操作して、弾性体１１２の押接面１１２ａをナットＮの外周面に押圧状態に当接させつつ、ベースプレート１１１をスライドさせる。すると、ナットＮに回転力が付与され、仮締めすることができる。そして、ベースプレート１１１の先端部が弾性体１１２を内側にして彎曲状に形成されていることにより、ナットＮが彎曲部にくると、抵抗が大きくなり、締付け効果が大いに発揮されるとともに、不用意に外れないようにすることができる。
【０００４】
さらに、弾性体１１２の押接面１１２ａが波形状に形成されていることにより、ナットＮに回転力を確実に与えることができる。また、角度調整手段１１３によってベースプレート１１１の角度を間接活線操作棒１００と同一方向から直角方向まで調整することにより、作業条件に応じて適切な方向からアクセスすることができる。
【０００５】
【特許文献１】特開２００７−１４４５７４号公報
【発明の開示】
【発明が解決しようとする課題】
【０００６】
特許文献１に開示されたナット仮締め具は、ナットＮを仮締付けするため、ベースプレート１１１を下端部から上端部までスライドさせる作業を繰り返さなければならい。すなわち、このナット仮締め具は、ナットＮの外周面に当接している弾性体１１２が上端部までスライドすると、弾性体１１２の押接面１１２ａをナットＮの外周面から一旦外し、ベースプレート１１１を上昇させ、弾性体１１２の下端部の押接面１１２ａをナットＮの外周面に押圧状態に当接させるという作業を繰り返さなければならない。したがって、このような作業は、連続した操作でないことから、このナット仮締め具は、作業性がよいといえない。
【０００７】
そこで、本発明は、作業性よく操作することができるようにしたナット回し工具を提供することを課題とする。
【課題を解決するための手段】
【０００８】
本発明に係るナット回し工具は、ナットの外径よりも大きな内径の円筒状の内面を有する本体部と、該本体部を横向きないし縦向きに保持し、かつ、操作棒の先端に取り付けられるホルダとが備えられていることを特徴としている。
【０００９】
このナット回し工具によれば、ホルダが操作棒の先端に取り付けられることにより、電柱の腕金などの高所にナットを着脱することができ、そして、ホルダが本体部の開口した先端側を横向きないし縦向きに保持することにより、ナットの端面が横向でも下向きでも着脱することができ、さらに、円筒状の本体部の内面がナットの外径よりも大きく形成されていることにより、ナットの側面が本体部の内面に１箇所又は２箇所で押し当てられるように掛止することができる。そして、ナットの側面が本体部の内面を押し当てられた状態を維持して、本体部を回転させると、ナットに回転力が付与され、ナットを回転させて着脱することができる。このナット回し工具は、本体部を連続して回転することにより、ナットに連続して回転力を付与することができ、往復動のようにナットに付与する回転力が不連続にならないようにすることができる。
【００１０】
また、前記本発明に係るナット回し工具において、前記本体部の内面には、ナットの側面を滑りにくくするための掛止部が設けられていることが好ましい。このナット回し工具によれば、本体部の内面に掛止部が設けられていることにより、ナットの側面が掛止部に掛止され、本体部によって付与される回転力が滑ることなくナットに伝達される。なお、掛止部は、クッション体や凹凸体によって形成することができる。
【００１１】
また、前記本発明に係るナット回し工具において、前記本体部の基端側には、ナットの捕捉部が設けられていることが好ましい。このナット回し工具によれば、外されたナットが捕捉部に捕捉され、落下しないようにすることができる。なお、捕捉部は、ネットや有底筒体によって構成することができる。
【００１２】
また、前記本発明に係るナット回し工具において、前記ホルダの先端側には、ナットが内面から離脱しないようにするための狭窄部が設けられていることが好ましい。このナット回し工具によれば、本体部が長さ方向にぶれても、ナットが狭窄部に掛止された状態を維持し、本体部の開口した先端側から離脱しないようにすることができる。なお、狭窄部は、本体部の先端縁に内向きに設けた鍔部や先端側を奥側よりも縮径したテーパ部、あるいはナットの長さよりも広い幅の環状溝などによって設けることができる。
【００１３】
また、前記本発明に係るナット回し工具において、前記ホルダには、前記本体部が所期の姿勢を維持するように仮固定するための締結部材が取り付けられていることが好ましい。このナット回し工具によれば、ナットの向きに応じて本体部を横向きや縦向きとし、ホルダに締結され、所期の姿勢を維持することができる。
【００１４】
また、前記本発明に係るナット回し工具において、前記ホルダには、前記操作棒から偏心した先端側で本体部を挟む一対の支持部と、該一対の支持部の基端側を連結する連結部とが備えられていることが好ましい。この着脱工具によれば、特に鉛直姿勢とされた長いボルトに、端面を下向きとしたナットを着脱するときに、本体部が一対の支持部によって操作棒から偏心するため、ボルトの先端が操作棒に突き当たらないようにすることができる。
【発明の効果】
【００１５】
本発明によれば、ナットに回転力を連続して付与することのできるナット回し工具を提供することができるため、ナットを着脱する作業性を高めることができる。
【発明を実施するための最良の形態】
【００１６】
本発明に係るナット回し工具の実施形態について図１ないし図７を参照しながら説明する。このナット回し工具は、基本的に図１及び図２に示すように、ナットＮに回転力を付与する本体部１０と、この本体部１０を横向きないし縦向きに保持し、かつ、間接活線操作棒、その他の操作棒１の先端に取り付けられるホルダ２０とを備えている。
【００１７】
本体部１０は、ナットＮの長さよりも長く、ナットＮの外径よりも大きな内径の内面１１を有する円筒状に形成されている。本体部１０の内面は、ナットの側面Ｎａを係止する部位であり、本体部１０の内面１１には、ナットの側面Ｎａが滑りにくいようにするため、図３（ａ）に示すようなクッション体からなる掛止部１２、又は図３（ｂ）に示すような鋸歯形状ないし図示しない波形状からなる掛止部１２を備えている。クッション体からなる掛止部１２は、摩擦係数が高い及び／又はナットの側面Ｎａが食い込む硬めのゴムその他の弾性部材に形成される。また、鋸歯形状ないし波形状の掛止部１２においても、クッション体によって形成してもよい。
【００１８】
そして、本体部１０の先端側には、ナットＮに回転力を付与している本体部１０が長さ方向にぶれても、ナットＮが内面１１から離脱しないようにするための狭窄部１３が設けられている。狭窄部１３は、図４（ａ）に示すように、本体部１０の先端縁に内向き形成した鍔や、図４（ｂ）に示すように、先端側に向かって縮径するテーパや、図４（ｃ）に示すように、先端縁からわずかに奥側に設けた環状溝などによって構成される。なお、環状溝は、当然、ナットＮの長さよりも広い幅とされ、ナットＮがスムーズに入り込み、また外れるように、環状溝のエッジが面取りされていることが好ましい。
【００１９】
そして、本体部１０の基端部には、外されたナットＮを捕捉する捕捉部３０が備えられている。捕捉部３０は、図１又は図２に示すように、着脱可能なネットによって構成される。ネットは奥側が垂下するため、捕捉されたナットＮが飛び出ないようにすることができる。また、ネットが着脱可能とされることにより、破けるなど損傷したときに交換することができる。
【００２０】
ただし、捕捉部３０は、図５（ａ）（ｂ）に示すように、本体部１０と同一の素材として、本体部１０を延長した有底筒状としてもよい。なお、ナット回し工具は、図示しないが、図４に示した各狭窄部１３を有する本体部１０の基端部に有底筒状の捕捉部３０を設けたものとしてもよい。
【００２１】
一方、ホルダ２０は、本体部１０を操作棒１から偏心した先端側で挟む一対の支持部２１，２１と、この一対の支持部２１，２１の基端側を連結する平板状の連結部２２とを備えたものとされている。一対の支持部２１，２１は、縦部材２１ａと横部材２１ｂとを側面視でＬ字形に形成したもので、縦部材２１ａの上部で本体部１０が挟まれる。
【００２２】
そして、本体部１０の直径を結ぶ部分と支持部２１の上部とが軸（図示せず）によって連結され、本体部１０の向きを変更できるようにしている。そして、本体部１０が横向きないし縦向きの姿勢を維持することができるように、軸の一端部又は両端部には蝶ナットなどの締結部材２３が取り付けられている。
【００２３】
このような支持部２１は、縦部材２１ａが長すぎると、本体部１０の保持が不安定となる一方、短すぎると、鉛直姿勢の長いボルトＢにナットＮを着脱するときに、ボルトＢの先端が操作棒１の上端に突き当たる。そこで、支持部２１の縦部材２１ａは、本体部１０の半径よりも長い程度に形成され、横部材２１ｂによって本体部１０が操作棒１の延長線上から偏心させることにより、長いボルトＢにナットＮを着脱するときでも、ボルトＢの先端が操作棒１に突き当たらないようにされている。
【００２４】
なお、ホルダ２０は、図示したように支持部２１と連結部２２とを側面視でＬ字形に形成することにより、軽量化を図ることができるが、側面視で三角形状とするなど限定するものではない。
【００２５】
そして、支持部２１の横部材２１ｂの基端側に板状の連結部２２が連結され、この連結部２２に操作棒１を連結する継手２４が設けられている。操作棒１として、先端にピン１ａを突出したものを使用する場合は、連結部２２の継手２４には、このピン１ａを係入する溝２４ａが設けられている。このような連結部２２を設けることにより、任意の長さの操作棒１を選択して使用することができる。
【００２６】
このナット回し工具は、以上のように構成され、次に、使用方法について説明する。図１に示すように、軸を水平向きとして腕金などの被取付物（図示せず）を貫通したボルトＢにナットＮを締結する場合は、本体部１０の開口した先端側を横向きの姿勢とする。本体部１０が横向きの姿勢を維持することができるように、締結部材２３によって本体部１０とホルダ２０の支持部２１とを締め付け、仮固定する。
【００２７】
そして、ナットＮを適宜手段によってボルトＢの先端に螺合する。その後、ナットの側面Ｎａを図６及び図７（ａ）に示すように、本体部１０の内面１１に押し当てる。そして、作業者が回転軸を水平向きとして操作棒１を回転することにより、本体部１０を図７（ｂ）（ｃ）（ｄ）（ａ）…というように回転させる。すると、ナットの側面Ｎａが本体部１０の内面１１に押し当てられていることから、ナットＮに回転力が付与され、ナットＮのボルトＢへの仮締めが進行する。
【００２８】
本体部１０は、図７に示すように連続して回転させることができるため、ナットＮのボルトＢへの仮締めを連続して進行させることができる。ただし、このナット回し工具だけでは、ナットＮをボルトＢに強固に締結（本締め）することができないため、最後は、作業者が別の操作棒の先端に取り付けられたラチェットなどによって、本締めする。
【００２９】
逆に、本締めされたナットＮを緩めるには、最初に前記のラチェットなどによって、本締めされたナットＮを一旦緩め、その後、このナット回し工具を使用する。すなわち、ナットの側面Ｎａを図６に示すように本体部１０の内面１１に押し当てる。そして、作業者が操作棒１を前記と逆方向に回転することによって、本体部１０を図７（ｄ）（ｃ）（ｂ）（ａ）…というように前記と逆方向に回転する。すると、ナットＮがボルトＢから外れていく。そして、ナットＮがボルトＢから外れると、このボルトＢは捕捉部３０内に落下する。したがって、外れたボルトＢが作業者の方へ落下することがなく、安全が確保される。
【００３０】
また、図２に示すように、軸を鉛直向きとして腕金などの被取付物（図示せず）を貫通したボルトＢにナットＮを締結する場合は、本体部１０の開口した先端側を上向きの姿勢とする。なお、ナット締め工具の本体部１０が横向きの姿勢とされているときは、締結部材２３を一旦緩め、本体部１０を上向きの姿勢とし、締結部材２３によって本体部１０とホルダ２０の支持部２１とを締め付け、仮固定する。
【００３１】
そして、前記と同様、ナットＮを適宜手段によってボルトＢの先端に螺合し、その後、図示しないが、ナットの側面Ｎａを本体部１０の内面１１に押し当てる。このとき、ボルトＢが長いものであっても、ホルダ２０は支持部２１の横部材２１ｂによって操作棒１から偏心していることにより、ボルトＢの先端部が継手２４又は操作棒１の上端に突き当たることはない。
【００３２】
そして、作業者が回転軸を鉛直向きとして操作棒１を回転することにより、本体部１０を回転させる。すると、ナットの側面Ｎａが本体部１０の内面１１に押し当てていることから、ナットＮに回転力が付与され、ボルトＢへの仮締めが進行する。本体部１０は、連続して回転させることができるため、ナットＮのボルトＢへの仮締めを連続して進行することができる。ただし、前記同様、このナット回し工具だけでは、ナットＮをボルトＢに強固に締結することができないため、最後は、別の操作棒の先端に取り付けられたラチェットなどによって、本締めする。
【００３３】
逆に、本締めされたナットＮを緩めるには、前記と同様、最初にラチェットなどによってナットＮを一旦緩め、その後、このナット回し工具によって連続して緩める。すなわち、ナットの側面Ｎａを本体部１０の内面１１に押し当てながら、本体部１０を前記と逆方向に回転することにより、ナットＮをボルトＢから外す。ボルトＢから外れたナットＮは、捕捉部３０内に落下する。
【００３４】
このようにして、このナット回し工具によって、いずれの向きのナットＮも連続した操作によって着脱することができる。また、この操作において、本体部１０の内面１１に掛止部１２が設けられることにより、ナットの側面Ｎａが本体部１０上を滑らないようにし、効率的に作業することができる。また、本体部１０の先端側に狭窄部１３が設けられることにより、本体部１０を回転させている最中に、本体部１０が長さ方向にぶれるなどして、ナットＮが本体部１０の内面１１から離脱しないようにし、効率的に作業することができる。
【００３５】
なお、本発明は、前記の実施形態に限定することなく、種々変更することができる。例えば、前記の実施形態においては、ナットＮが横向き又は下向きに着脱する場合について説明したが、ボルトＢが斜め向きに配置され、ナットＮを斜め向きに着脱するときは、本体部１０を斜め向きの姿勢にホルダ２０に保持されるようにする。このナット回し工具は、ホルダ２０が本体部１０を横向きないし縦向きに保持するため、本体部１０は横向きから縦向きの間の任意の角度に向けることができる。
【００３６】
また、ホルダ２０は、長いボルトＢにナットＮを着脱しないと限定する場合において、支持部２１の横部材２１ｂを省略し、支持部材２１の縦部材２１ａに連結部２２を直接、連結するようにしてもよい。また、本体部１０は、摩擦係数の高い素材によって形成することにより、別途、掛止部１２を本体部１０の内面１１に設けないようにすることもできる。さらに、本体部１０は、内面１１が円筒状であればよく、外面の形状を角形にしてもよい。
【００３７】
また、本ナット回し工具は、電柱の腕金などの高所に締結されたナットＮを着脱する場合に好適に使用することができるが、短い操作棒をホルダ２０に取り付け、低所に締結されたナットＮを着脱してもよい。この場合、ナット回し工具は捕捉部３０を設けないものとしてもよい。
【００３８】
さらに、操作棒１を交換しないようにすることもでき、この場合、ホルダ２０は継手２４を備えないで、連結部２２を直接、操作棒に固定してもよい。
【図面の簡単な説明】
【００３９】
【図１】本発明に係るナット回し工具の一実施形態であって、横向きのナットを着脱する状態を示す斜視図である。
【図２】本発明に係るナット回し工具の一実施形態であって、下向きのナットを着脱する状態を示す斜視図である。
【図３】本発明に係るナット回し工具を構成している本体部の変形例であって、（ａ）（ｂ）はそれぞれ異なる実施形態を示す斜視図である。
【図４】本発明に係るナット回し工具を構成している本体部の変形例であって、（ａ）（ｂ）（ｃ）はそれぞれ異なる実施形態を断面側面図である。
【図５】本発明に係るナット回し工具を構成している本体部の変形例であって、（ａ）（ｂ）はそれぞれ異なる実施形態を断面側面図である。
【図６】本発明に係るナット回し工具によってナットを着脱している状態の一実施形態を示す断面側面図である。
【図７】本発明に係るナット回し工具によってナットを着脱している状態の一実施形態であって、（ａ）（ｂ）（ｃ）（ｄ）はそれぞれ異なる操作途中を示す正面図である。
【図８】従来のナット仮締め具を示す斜視図である。
【符号の説明】
【００４０】
１……操作棒
１０…本体部
１１…内面
１２…掛止部
１３…狭窄部
２０…ホルダ
２１…支持部
２２…連結部
２３…締結部材
３０…捕捉部
【図１】
2010005716.tif 000003
【図２】
2010005716.tif 000004
【図３】
2010005716.tif 000005
【図４】
2010005716.tif 000006
【図５】
2010005716.tif 000007
【図６】
2010005716.tif 000008
【図７】
2010005716.tif 000009
【図８】
2010005716.tif 000010